(57)【要約】【課題】メモリカードを挿入する等のユーザの操作と、それに対応するウィンドウの関係を容易に判別する。【解決手段】表示装置１Ａの側面にメモリカードを挿入するためのスロット４ａ、４ｂが設けられている。表示装置１Ａは、計算機と接続されている。表示装置１Ａの一方のスロット４ａに対してメモリカード１３が挿入されると、メモリカード１３に関連するアプリケーションソフトウェアが起動され、表示装置１Ａの表示部２のスロット４ａとほぼ同じ高さの位置、すなわち、挿入され、隠れているメモリカード１３の位置とほぼ同じ位置に、ウィンドウ１４ａが表示される。他のスロット４ｂに対してメモリカード１３を挿入した場合では、スロット４ｂを通って挿入され、隠れているメモリカードの位置とほぼ対応する位置にウィンドウ１４ｂが表示される。【選択図】　図５
2004054879.tif 000002
【特許請求の範囲】
【請求項１】
１または複数のメモリカード用スロットが設けられ、上記スロットにメモリカードが挿入された時に、上記スロットに近接する表示領域に、上記メモリカードに関係するウィンドウまたはアイコンを表示するようにした表示装置。
【請求項２】
請求項１において、
上記ウィンドウまたはアイコンを表示する時に、徐々に上記ウィンドウまたはアイコンが表示されるようにした表示装置。
【請求項３】
請求項１において、
上記ウィンドウに、上記メモリカードの記憶内容を表示するようにした表示装置。
【請求項４】
請求項１において、
コンピュータと物理的に分離されている表示装置。
【請求項５】
請求項１において、
コンピュータ本体と結合されている表示装置。
【請求項６】
１または複数のコネクタが設けられ、上記コネクタにデバイスが接続された時に、上記コネクタに近接する表示領域に、上記デバイスに関係するウィンドウまたはアイコンを表示するようにした表示装置。
【請求項７】
請求項６において、
上記ウィンドウまたはアイコンを表示する時に、徐々に上記ウィンドウまたはアイコンが表示されるようにした表示装置。
【請求項８】
請求項６において、
コンピュータと物理的に分離されている表示装置。
【請求項９】
請求項６において、
コンピュータ本体と結合されている表示装置。
【請求項１０】
１または複数のメモリカード用スロットが設けられ、上記スロットにメモリカードが挿入された時に、上記メモリカードを挿入する方向の延長上の表示領域に、上記メモリカードに関係するウィンドウまたはアイコンを表示するようにした表示装置。
【請求項１１】
１または複数のコネクタが設けられ、上記コネクタにデバイスが接続された時に、上記コネクタを挿入する方向の延長上の表示領域に、上記デバイスに関係するウィンドウまたはアイコンを表示するようにした表示装置。
【請求項１２】
表示装置に設けられたメモリカード用スロットに、メモリカードが挿入されたことを検出するステップと、
上記スロットに対応する表示位置の情報と上記メモリカードに対応する種類のアプリケーションの情報を取得するステップと、
上記アプリケーションを起動し、上記表示位置に上記メモリカードに関連するウィンドウまたはアイコンを表示する表示方法。
【請求項１３】
表示装置に設けられたコネクタに、デバイスが接続されたことを検出するステップと、
上記コネクタに対応する表示位置の情報と上記デバイスに対応する種類のアプリケーションの情報を取得するステップと、
上記アプリケーションを起動し、上記表示位置に上記デバイスに関連するウィンドウまたはアイコンを表示する表示方法。
【請求項１４】
光、音響、または電波を媒体とする無線通信部が設けられ、他のデバイスと通信が行われる時に、上記無線通信部に近接する表示領域に、上記他のデバイスとの通信に関係するウィンドウまたはアイコンを表示するようにした表示装置。
【請求項１５】
請求項１４において、
上記表示領域に上記ウィンドウまたはアイコンを表示する時に、上記無線通信部に向かってまたは上記無線通信部から徐々に移動するように、上記ウィンドウまたはアイコンが表示されるようにした表示装置。
【請求項１６】
請求項１４において、
上記表示領域に、上記デバイスを表すアイコンを表示するようにした表示装置。
【請求項１７】
請求項１４において、
上記表示領域に、受信したデータを示すアイコンを表示するようにした表示装置。
【請求項１８】
請求項１４において、
送信するデータのアイコンを表示し、データの送信が終了すると、上記アイコンの表示を消すようにした表示装置。
【請求項１９】
請求項１４において、
コンピュータと物理的に分離されている表示装置。
【請求項２０】
請求項１４において、
コンピュータ本体と結合されている表示装置。
【請求項２１】
光、音響、または電波を媒体とする無線通信部を有する表示装置を使用した表示方法において、
他のデバイスと通信を行う時に、通信を開始する時に、第１のアイコンを上記無線通信部に近接する表示領域に表示するステップと、
上記他のデバイスとの間で実際にデータを伝送する時に、上記第１のアイコンと異なる第２のアイコンを上記表示領域に表示するステップとからなる表示方法。
【発明の詳細な説明】
【０００１】
【発明の属する技術分野】
この発明は、例えばパーソナルコンピュータの表示装置に適用される表示装置および表示方法に関する。
【０００２】
【従来の技術】
パーソナルコンピュータの場合、比較的着脱の機会が多いインターフェースまたはコネクタが装備されている。例えばメモリカードのスロットや、ＵＳＢ（Ｕｎｉｖｅｒｓａｌ　Ｓｅｒｉａｌ　Ｂｕｓ）のコネクタがディスクトップ型のパーソナルコンピュータの本体に装備されている。したがって、これらのインターフェースまたはコネクタとディスプレイとは、離れた位置にあり、また、メモリカードや、コネクタに接続されたデバイスに対応するウィンドウは、ソフトウェアの都合でのみ表示位置が決められている。また、赤外線通信を行うために、ＰＤＡを可搬型パーソナルコンピュータ（所謂ノートブックパーソナルコンピュータ）に近づけてデータを転送することも行われている。
【０００３】
【発明が解決しようとする課題】
従来のパーソナルコンピュータでは、インターフェースに接続されたメモリカード、ＵＳＢコネクタに接続されたデバイス等と、これらが接続された場合に起動されるアプリケーションソフトウェアのウィンドウとの対応関係が一目瞭然には分からず、操作性の面で問題があった。特に、複数のインターフェースまたはコネクタを使用する場合では、一層、対応関係が分かり難かった。また、赤外線通信を行う場合、通信を行う二つのデバイスの配置と、ディスプレイ上に現れる通信のためのアイコン等の表示位置は、無関係であるため、表示が分かり難かった。
【０００４】
したがって、この発明の目的は、かかる問題点を解決することを目的とし、メモリカード、デバイス等とディスプレイ上のウィンドウの対応が分かり易いものとできる表示装置および表示方法を提供することにある。
【０００５】
【課題を解決するための手段】
上述した課題を解決するために、請求項１の発明は、１または複数のメモリカード用スロットが設けられ、スロットにメモリカードが挿入された時に、スロットに近接する表示領域に、メモリカードに関係するウィンドウまたはアイコンを表示するようにした表示装置である。
【０００６】
請求項６の発明は、１または複数のコネクタが設けられ、コネクタにデバイスが接続された時に、コネクタに近接する表示領域に、デバイスに関係するウィンドウまたはアイコンを表示するようにした表示装置である。
【０００７】
請求項１０の発明は、１または複数のメモリカード用スロットが設けられ、スロットにメモリカードが挿入された時に、メモリカードを挿入する方向の延長上の表示領域に、メモリカードに関係するウィンドウまたはアイコンを表示するようにした表示装置である。
【０００８】
請求項１１の発明は、１または複数のコネクタが設けられ、コネクタにデバイスが接続された時に、コネクタを挿入する方向の延長上の表示領域に、デバイスに関係するウィンドウまたはアイコンを表示するようにした表示装置である。
【０００９】
請求項１２の発明は、表示装置に設けられたメモリカード用スロットに、メモリカードが挿入されたことを検出するステップと、
スロットに対応する表示位置の情報とメモリカードに対応する種類のアプリケーションの情報を取得するステップと、
アプリケーションを起動し、表示位置にメモリカードに関連するウィンドウまたはアイコンを表示する表示方法である。
【００１０】
請求項１３の発明は、表示装置に設けられたコネクタに、デバイスが接続されたことを検出するステップと、
コネクタに対応する表示位置の情報とデバイスに対応する種類のアプリケーションの情報を取得するステップと、
アプリケーションを起動し、表示位置にデバイスに関連するウィンドウまたはアイコンを表示する表示方法である。
【００１１】
請求項１４の発明は、光、音響、または電波を媒体とする無線通信部が設けられ、他のデバイスと通信が行われる時に、無線通信部に近接する表示領域に、他のデバイスとの通信に関係するウィンドウまたはアイコンを表示するようにした表示装置である。
【００１２】
請求項２１の発明は、光、音響、または電波を媒体とする無線通信部を有する表示装置を使用した表示方法において、
他のデバイスと通信を行う時に、接続が確立した時に、第１のアイコンを無線通信部に近接する表示領域に表示するステップと、
他のデバイスとの間でデータの伝送を完了した時に、第１のアイコンと異なる第２のアイコンを表示領域に表示するステップとからなる表示方法である。
【００１３】
請求項１の発明では、メモリカード用スロットに近接する表示領域に、メモリカードに関係するウィンドウまたはアイコンを表示するので、メモリカードを挿入する動作と表示されるウィンドウまたはアイコンとの対応関係を容易に判別することができる。請求項６の発明では、コネクタに近接する表示領域に、デバイスに関係するウィンドウまたはアイコンを表示するので、デバイスを接続する動作と表示されるウィンドウまたはアイコンとの対応関係を容易に判別することができる。
【００１４】
請求項１０の発明は、メモリカードを挿入する方向の延長上の表示領域に、メモリカードに関係するウィンドウまたはアイコンを表示するので、メモリカードを挿入する動作と表示されるウィンドウまたはアイコンとの対応関係を容易に判別することができる。請求項１１の発明では、コネクタを挿入する方向の延長上の表示領域に、デバイスに関係するウィンドウまたはアイコンを表示するので、デバイスを接続する動作と表示されるウィンドウまたはアイコンとの対応関係を容易に判別することができる。
【００１５】
請求項１２の発明は、メモリカードがスロットに挿入されると、アプリケーションを起動し、スロットに対応する表示位置にメモリカードに関連するウィンドウまたはアイコンを表示するので、メモリカードを挿入する動作と表示されるウィンドウまたはアイコンとの対応関係を容易に判別することができる。請求項１３の発明は、デバイスがコネクタに接続されると、アプリケーションを起動し、コネクタに対応する表示位置にデバイスに関連するウィンドウまたはアイコンを表示するので、デバイスを接続する動作と表示されるウィンドウまたはアイコンとの対応関係を容易に判別することができる。
【００１６】
請求項１４の発明では、他のデバイスと通信を行う時に、無線通信部に近接する表示領域に、他のデバイスに関係するウィンドウまたはアイコンを表示するので、通信を行う二つのデバイスの対応関係を容易に判別することができる。
【００１７】
【発明の実施の形態】
以下、この発明の一実施形態について説明する。図１において、参照符号１Ａは、この発明が適用された例えばＬＣＤのコンピュータ用の表示装置の第１の例を示す。表示装置１Ａには、表示部２が設けられ、また、本体の一方の側面３の下部にメモリカードを挿入するための二つのスロット４ａおよび４ｂが設けられている。メモリカードとしては、例えばフラッシュＲＯＭを使用できる。
【００１８】
図２において、参照符号１Ｂは、この発明が適用されたコンピュータ用の表示装置の第２の例を示す。表示装置１Ｂでは、前面の表示部２を取り囲むフレームの横側部分５にスロット４ａおよび４ｂが設けられている。表示装置１Ａおよび１Ｂは、表示部２の傾きが調整可能とされている。
【００１９】
図３に示すように、表示装置１Ａは、計算機１１とケーブルまたは無線で接続されている。計算機１１には、データベース１２が接続されている。また、メモリカード用のスロット４ａ、４ｂが計算機１１と接続されている。スロット４ａ、４ｂには、メモリカード１３が挿入可能とされる。
【００２０】
スロット４ａ、４ｂの表示部２に対する位置関係が予めそれぞれ設定され、データベース１２にその設定内容が記憶されている。また、データベース１２には、ウィンドウの表示方法についての情報を記憶されている。さらに、挿入されるメモリカード、接続されるデバイスのそれぞれに対応するアプリケーションに関する情報がデータベース１２に記憶されている。アプリケーションソフトウェア自体は、計算機１１のハードディスクに予めインストールされている。
【００２１】
例えばスロットに対して、ディジタルカメラの撮影データの記憶されているメモリカードが挿入される場合では、撮影画像を見るためのビュウワーのソフトウェアが起動される。また、音楽データの圧縮ファイルが記憶されているメモリカードの場合では、その音楽データを再生するための再生ソフトウェアを起動することが必要とされる。さらに、コネクタに対して小型なプリンタが接続される場合では、プリンタのドライバが起動される。
【００２２】
なお、図３のシステム構成は、表示装置１Ｂ並びに後述する他の表示装置についても同様のものである。また、図３においては、スロット４ａ、４ｂの代わりに、コネクタの場合もありうることが示されている。コネクタには、メモリカード以外の他のデバイスが接続される。
【００２３】
図４は、スロット４ａ或いは４ｂにメモリカードが挿入された場合、またはコネクタに対してデバイスが接続された場合に、計算機１１の制御でなされる動作の流れを示すフローチャートである。ステップＳ１では、スロットにメモリカードが挿入されたか、またはコネクタに対してデバイスが接続されたか否かが判定される。メモリカードが挿入されるか、コネクタにデバイスが接続されるまで、このステップＳ１が繰り返してなされる。
【００２４】
スロットにメモリカードが挿入されるか、コネクタにデバイスが接続されると、ステップＳ２において、計算機１１がそのスロットまたはコネクタに対応する位置の情報と、表示方法とに関する問い合わせをデータベース１２に対して行う。ステップＳ３では、上述したような計算機１１が挿入されたメモリカードまたは接続されたデバイスに対応するアプリケーションをデータベース１２に問い合わせる。
【００２５】
そして、ステップＳ４では、データベース１２から得られた情報に基づいて、アプリケーションが起動され、指定された位置に指定された方法で、ウィンドウを表示装置１Ａの表示部２に表示させる。そして、再びステップＳ１に戻り、メモリカードが挿入されるか、コネクタにデバイスが接続されることを検出する状態となる。
【００２６】
ウィンドウの表示方法について、表示装置１Ａを例に説明する。図５は、第１の表示方法を示すものである。図５Ａに示すように、表示装置１Ａの一方のスロット４ａに対してメモリカード１３が挿入される。次に、メモリカード１３に関連するアプリケーションソフトウェアが起動され、図５Ｂに示すように、表示装置１Ａの表示部２のスロット４ａとほぼ同じ高さの位置、すなわち、挿入され、隠れているメモリカード１３の位置とほぼ同じ位置に、ウィンドウ１４ａが表示される。例えばウィンドウ１４ａには、メモリカード１３に記憶されている静止画像のサムネイルが表示される。所望のサムネイルをマウス等で選択すると、その静止画像が表示される。
【００２７】
図５Ｃに示すように、若し、他のスロット４ｂに対してメモリカード１３を挿入した場合では、スロット４ｂを通って挿入され、隠れているメモリカード１３の位置とほぼ対応する位置にウィンドウ１４ｂが表示される。さらに、図示しないが、両方のスロット４ａおよび４ｂを通じてメモリカードを挿入した場合では、二つのウィンドウ１４ａおよび１４ｂが表示装置１Ａの表示部２上に表示される。
【００２８】
図６は、他の表示方法を示すものである。図６Ａに示すように、表示装置１Ａの一方のスロット４ａに対してメモリカード１３が挿入される。次に、メモリカード１３に関連するアプリケーションソフトウェアが起動され、メモリカード１３が挿入された直後では、図６Ｂに示すように、ウィンドウの表示が未だなされない。
【００２９】
次に、図６Ｃに示すように、表示装置１Ａの表示部２のスロット４ａとほぼ同じ高さの位置、すなわち、挿入され、隠れているメモリカード１３の位置とほぼ同じ位置に、ウィンドウ１５ａの一部分が表示される。さらに、恰も、メモリカードが挿入されているかのように、図６Ｄに示すように、ウィンドウ１５ａの表示が徐々に大きくなり、図６Ｅに示すように、ウィンドウ１５ａが完全に表示される状態となる。つまり、図６に示す表示方法は、メモリカードの内容を示すウィンドウがメモリカードの挿入方向から徐々に大きくなるアニメーションとして表示することによって、より分かり易い表示を行うことができる。
【００３０】
以下に、この発明の一実施形態のいくつかの変形例を説明する。図７において参照符号１Ｃは、この発明による表示装置の第３の例を示す。表示装置１Ｃは、本体の側面にコネクタ６ａおよび６ｂが設けられてものである。コネクタ６ａ、６ｂは、ＵＳＢ（Ｕｎｉｖｅｒｓａｌ　Ｓｅｒｉａｌ　Ｂｕｓ）、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）１３９４等の規格のものである。コネクタ６ａ、６ｂに対して、デバイス例えばメモリカードリーダ７がケーブル８を介して接続される。
【００３１】
一方のコネクタ例えばコネクタ６ｂに対してメモリカードリーダ７が接続されると、スロットにメモリカードを挿入した場合の上述した動作と同様に、アプリケーションが起動され、コネクタ６ｂの設置位置とほぼ同じ高さの位置に、メモリカードの内容を示すウィンドウ１６ｂが表示される。
【００３２】
メモリカードリーダ７に以外にＵＳＢ、ＩＥＥＥ１３９４等を介して表示装置１Ｃにストレージデバイスとして扱うことができるデバイスを接続した場合にも、上述したのと同様に、接続した時にウィンドウを表示することができる。具体的には，ＣＤ−ＲＯＭドライブ、ハードディスクドライブ、ディジタルカメラ、携帯電話、ＰＤＡ（Ｐｅｒｓｏｎａｌ　Ｄｉｇｉｔａｌ　Ａｓｓｉｓｔａｎｔｓ：個人用携帯型情報通信機器）等を接続する場合にも、この発明を適用できる。
【００３３】
図８Ａに示す表示装置１Ｄは、第４の例を示し、側面３の上部にスロット４ｃを設けた例である。スロット４ｃにメモリカードを挿入すると、挿入され、隠れているメモリカードの位置とほぼ同一の位置の領域にウィンドウ１４ｃが表示される。図８Ｂに示す表示装置１Ｅは、第５の例を示し、表示部２を取り囲むフレームの下側部分９にスロット４ｄを設けたものである。スロット４ｄにメモリカードを挿入すると、表示部２の下側部分であって、スロット４ｄの上方の位置の領域に、ウィンドウ１４ｄが表示される。図８Ｃに示す表示装置１Ｆは、第６の例を示し、下側の底面にスロット４ｅを設けたものである。スロット４ｅにメモリカードを挿入すると、挿入され、隠れているメモリカードの位置とほぼ同一の位置の領域にウィンドウ１４ｅが表示される。
【００３４】
図８Ｄに示す例は、この発明を可搬型パーソナルコンピュータに対して適用した第７の例を示す。液晶等のフラットな表示部２１が本体２２と軸を介して回動自在に連結されている。本体２２には、図示しないが、キーボード等が設けられている。表示部２１の側面２３にスロット２４が設けられている。スロット２４にメモリカードを挿入すると、スロット２４と同じ高さで、挿入され、隠れているメモリカードとほぼ対応する表示位置２５にウィンドウが表示される。なお、図８Ａ乃至図８Ｄにそれぞれ示す例において、表示方法として、図６を参照して説明したアニメーションを表示する方法を適用するようにしても良い。さらに、スロットの代わりにコネクタを設けるようにして良い。
【００３５】
図９は、この発明を可搬型パーソナルコンピュータに対して適用した場合の第８の例を示す。図９に示す例では、本体２２の前面２６に対して二つのスロット２７ａおよび２７ｂが設けられる。図９Ａに示すように、一方のスロット２７ａに対しメモリカード１３を挿入すると、図９Ｂに示すように、スロット２７ａにメモリカード１３を挿入する方向の延長上の表示部２１の表示領域の位置にウィンドウ２８ａが表示される。
【００３６】
図９Ｃに示すように、他方のスロット２７ｂにメモリカード１３を挿入すると、図９Ｄに示すように、メモリカード１３を挿入する方向の延長上の表示部２１の表示領域の位置にウィンドウ２８ｂが表示される。図９に示す例は、スロット２７ａ、２７ｂと表示部２１の画面とが多少離れていても、スロット２７ａ、２７ｂが設けられた位置と、表示されるウィンドウの位置とを対応させることを可能としたものである。なお、図９に示す例において、表示方法として、図６を参照して説明したアニメーションを表示する方法を適用するようにしても良い。さらに、スロットの代わりにコネクタを設けるようにして良い。
【００３７】
図１０は、この発明を可搬型パーソナルコンピュータに対して適用した場合の第９の例を示す。コンピュータ本体２２に対して表示部２１に近接した位置例えば本体２２を上から見て右上部のコーナー付近にスロット２７ｃが設けられる。スロット２７ｃに対して斜めにメモリカードが挿入されると、表示部２１の表示画面の右下コーナーの表示領域にウィンドウ２８ｃが表示される。なお、図１０に示す例において、表示方法として、図６を参照して説明したアニメーションを表示する方法を適用するようにしても良い。さらに、スロットの代わりにコネクタを設けるようにして良い。
【００３８】
なお、メモリカードが挿入され、またはコネクタにデバイスが接続されると、ウィンドウに限らず画面上に対応するアイコンを表示するようにしても良い。また、表示装置自身にパーソナルコンピュータの本体の構成を組み込むようにしても良い。
【００３９】
次に、この発明を光、音響、電波等の媒体を使用した無線通信例えば赤外線通信を行う場合に適用した他の実施形態について説明する。光通信例えば赤外線通信のフォーマットとして、ＩｒＤＡ（Ｉｎｆｒａｔｅｄ　Ｄａｔａ　Ａｓｓｏｃｉａｔｉｏｎ：赤外線データ通信協会）において決定されたものが使用されている。最近では、赤外線通信方式を利用した画像通信方式「ＩｒＴｒａｎ−Ｐ」が国際標準規格として承認された。これは、ディジタルカメラの静止画を赤外線通信で転送する通信方式である。さらに、新しい双方向の赤外線通信規格であるＩｒＢｕｓ規格も提案されている。現在では、多くの可搬型パーソナルコンピュータ、ＰＤＡに赤外線通信ポートが搭載されており、デスクトップパーソナルコンピュータに対しても赤外線通信アダプタが開発されている。さらに、携帯電話、電子スチルカメラ等のディジタルデータを扱う電子機器にも応用が拡大しつつある。
【００４０】
上述したＩｒＤＡ規格に準じた赤外線通信の場合、通常、伝送距離が０〜１ｍ程度である。例えばＰＤＡのスケジュールのデータをパーソナルコンピュータに伝送してスケジュールデータを統合させることが行われる。逆に、パーソナルコンピュータのデータを赤外線通信でもってＰＤＡに送信することもなされる。
【００４１】
図１１は、赤外線通信を行うために、赤外線通信の送受信部を有するデスクトップ型のパーソナルコンピュータのＬＣＤ表示装置に対してこの発明を適用した第２の実施形態を示す。図１１Ａにおいて、参照符号１０１Ａは、この発明が適用された例えばＬＣＤのコンピュータ用の表示装置の第１の例を示す。表示装置１０１Ａは、表示部１０２を有し、また、表示部１０２を取り囲むフレーム１０３の右側部分上方位置に赤外線通信の送受信部１０４が設けられている。
【００４２】
表示装置１０１Ａは、コンピュータ本体（図示しない）とケーブルまたは無線で接続されており、表示用信号のみならず、送受信部１０４からの受信データと送受信部１０４との送信データも表示装置１０１Ａとコンピュータ本体との間で送受信される。また、上述した一実施形態における図３の構成のように、コンピュータ本体と接続されたデータベースには、表示部１０２の画面上の位置を基準として、送受信部１０４の設けられている位置が予め設定され、また、データベースには、表示領域上のアイコン等の表示方法についての情報を記憶されている。赤外線通信のための通信用ソフトウェアは、コンピュータ本体のハードディスクに予めインストールされており、受信データの処理、送信データの作成等は、コンピュータ本体において行われる。
【００４３】
コンピュータ本体においては、表示部１０２において、送受信部１０４の設けられている位置と近い右上コーナー部に表示領域１０５Ａが設定される。表示領域１０５Ａには、後述するように、通信しているデバイスを表すアイコン、送信または受信するデータを表すアイコン等が表示される。アイコンに限らず、ウィンドウを表示しても良い。
【００４４】
送受信部１０４を設ける位置は、図１１Ａに示す例に限定されない。図１１Ｂに示す表示装置１０１Ｂでは、表示部１０２を取り囲むフレーム１０３の右側部分下方位置に赤外線通信の送受信部１０４が設けられている。したがって、表示部１０２の右下コーナー部にアイコン等の表示領域１０５Ｂが設定される。
【００４５】
図１１Ｃに示す表示装置１０１Ｃでは、表示部１０２を取り囲むフレーム１０３の下辺部の右側に赤外線通信の送受信部１０４が設けられている。したがって、表示部１０２の右下コーナー部にアイコン等の表示領域１０５Ｃが設定される。図１１Ｄに示す表示装置１０１Ｄでは、表示部１０２を取り囲むフレーム１０３の右側面１０６の上部に赤外線通信の送受信部１０４が設けられている。したがって、表示部１０２の右上コーナー部にアイコン等の表示領域１０５Ｄが設定される。勿論、右側面１０６の下部に送受信部１０４を設け、右下コーナー部に表示領域を設定しても良い。
【００４６】
図１１Ａ〜図１１Ｄにそれぞれ示す例は、デスクトップ型パーソナルコンピュータと接続される表示装置１０１Ａ〜１０１Ｄである。図１１Ｅは、可搬型パーソナルコンピュータ（所謂ノートブック型パーソナルコンピュータ）の例である。液晶等のフラットな表示部１２１が本体１２２と軸を介して回動自在に連結されている。本体１２２には、図示を省略しているが、キーボード等が設けられている。本体１２２の表示部１２１との結合部に近接した位置に赤外線通信の送受信部１２３が設けられている。
【００４７】
送受信部１２３の位置に近接した表示部１２１上にアイコン等の表示領域１２４が設定される。本体１２２に備えられているデータベースには、表示部１２１の画面上の位置を基準として、送受信部１２３の設けられている位置が予め設定され、また、データベースには、ウィンドウの表示方法についての情報を記憶されている。赤外線通信のためのソフトウェアは、本体のハードディスクに予めインストールされている。なお、表示部１２１の周りのフレームまたは側面に送受信部を設けるようにしても良い。
【００４８】
次に、図１２を参照して、アイコン等の表示方法の一例について説明する。図１２Ａに示すように、赤外線通信用の送受信部を有する他のデバイス例えばＰＤＡ１１１からパーソナルコンピュータの表示装置にデータを転送する場合の動作を説明する。表示装置として、図１１Ｂに示すように、フレーム１０３の右側部分下方位置に送受信部１０４が設けられ、表示部１０２の右下コーナー部にアイコン等の表示領域１０５Ｂが設定された表示装置１０１Ｂが使用される。勿論、図１１中の他の表示装置を使用しても良く、また、図１１Ｅに示される可搬型のパーソナルコンピュータを使用しても良い。
【００４９】
通信処理の流れに沿って説明すると、図１２Ｂに示すように、最初にＰＤＡ１１１が表示装置の送受信部１０４に向かって赤外線の通信開始のデータを送信する。パーソナルコンピュータがＰＤＡ１１１からの送信信号のキャリアを検知することによって、ＰＤＡ１１１を検知すると、通信開始要求のあることを示すアイコン１０７ａ（図の例では、”Ｃｏｎｎｅｃｔｉｎｇ”の語句と白い丸印）を表示領域１０５Ｂに表示する。
【００５０】
次に、実際に接続が確立され、通信が開始され、デバイス（ＰＤＡ１１１）の種類、形式等が分かった時に、図１２Ｃに示すように、デバイスのアイコン１０７ｂを表示領域１０５Ｂに表示する。
【００５１】
そして、図１３Ａに示すように、ＰＤＡ１１１からパーソナルコンピュータに対してファイルデータが赤外線送信データとして送信され、送受信部１０４で送信データが受信され、パーソナルコンピュータがファイルデータを受信する。ファイルの転送が終了すると、終了したことが表示領域１０５Ｂ上のアイコン１０７ｃとして示される。
【００５２】
パーソナルコンピュータからＰＤＡ１１１に対してデータを転送することも可能である。図１３Ｂに示すように、最初にＰＤＡ１１１からパーソナルコンピュータに対してファイル転送要求が送られる。この転送要求をパーソナルコンピュータが受信すると、転送対象のファイルのアイコン１０８ａを表示部１０２上の表示領域１０５Ｂと離れた位置に表示する。
【００５３】
次に、ファイルデータがパーソナルコンピュータの表示装置の送受信部１０４から赤外線信号として送信され、これをＰＤＡ１１１が受信する。所定のデータレートでもってファイルの転送がなされる。ファイルの転送が進行中であることが表示部１０２上を移動するアイコン１０８ｂによって表示される。ファイルの転送が終了すると、表示領域１０５Ｂ上に表示されているアイコン１０８ｂが消える。参照符号１０８ｃは、ファイル転送が終了してアイコン１０８ｂが消えたことを示している。なお、アイコン１０８ｂの移動をユーザが予めドラッグ操作によって行ってからファイルの転送を行うようにしても良い。
【００５４】
さらに、通信が途中で途切れた場合は、ＰＤＡ１１１を示すアイコン１０７ｂ（図１２Ｃ参照）を消したり、直ちに消さずに、一定の猶予期間をおいてからアイコンが消えるようにしても良い。猶予期間中は、アイコンを消えかかった状態（例えば色が半透明になるなど）しても良い。このようなアイコンの表示は、恰も視覚上で送受信部１０４を通ってデータが出入りしていることを示すためのものである。
【００５５】
また、図１３Ａに示すように、ＰＤＡ１１１からパーソナルコンピュータに対してファイルを転送する時に、アイコン１０７ｃを表示するのに、アニメーション表示を行うようにしても良い。図１４Ａは、ＰＤＡ１１１からパーソナルコンピュータに対してファイルを転送する場合の表示の例である。ＰＤＡ１１１からファイルを転送する時に、表示領域１０５Ｂに何も表示されてない状態から、転送データ量が増加するのにしたがって、フレーム１０３の右側部分からアイコン１０７ｃが左側に徐々に移動し、ファイルの転送が完了した時点でアイコン１０７ｃが完全に表示されるようにしても良い。
【００５６】
また、図１３Ｂに示すように、ＰＤＡ１１１からパーソナルコンピュータに対してファイルを転送する時に、転送完了時にアイコン１０８ｂを消す代わりに、アニメーション表示を行うようにしても良い。図１４Ｂは、パーソナルコンピュータからＰＤＡ１１１に対してファイルを転送する時のアニメーション表示の例である。ファイルの転送が完了すると、アイコン１０８ｂが右へ徐々に移動し、表示部１０２上から見えなくなる。
【００５７】
なお、図１２、図１３（または図１４）に示すようなアイコンの表示方法の一部のみを使用しても良い。また、赤外線通信は、双方向通信に限らず、単方向通信であってもこの発明を適用できる。さらに、携帯電話、テレビ等のパーソナルコンピュータ以外の電子機器を使用して赤外線通信を行う場合に対してもこの発明を適用できる。
【００５８】
図１５を参照して、点滅光によって表現されたデータを送受信する通信方法に対してこの発明を適用した形態について説明する。図１５において、参照符号１２１は、携帯電子機器例えば電子カメラを示す。なお、電子カメラの他に、ＰＤＡ、携帯動画カメラ、携帯電話機等であっても良い。
【００５９】
電子カメラ１２１は、例えば静止画像を撮影し、撮影した画像データを着脱自在のメモリカードに蓄積するもので、撮影時に画角を決めたり、撮影画像の確認のために、小型のＬＣＤディスプレイ１２２を備えている。図示を省略しているが、カメラ本体には、シャッターボタン等の操作ボタンが設けられている。
【００６０】
電子カメラ１２１は、通常、ＬＣＤディスプレイ１２２の設けられている面と反対面にカメラ部が設けられ、矢印で示す方向の被写体を撮影する構成とされている。通常の被写体を撮影するカメラ部と別個に、点滅する光源を撮影し、点滅光で表現されるデータを受信することが可能な受信部１２３が設けられている。受信部１２３は、ＬＣＤディスプレイ１２２の上部中央付近の位置に設けられている。
【００６１】
なお、通常の被写体を撮影するカメラ部と受信部とが共通の撮像素子を使用しても良い。さらに、双方向通信のために、電子カメラ１２１がＬＣＤディスプレイ１２２に伝送データに応じて点滅する光源を表示したり、またはＬＣＤディスプレイ１２２と別の赤外線発光のＬＥＤ（Ｌｉｑｕｉｄ　Ｃｒｙｓｔａｌ　Ｄｉｓｐｌａｙ）　等の点滅光源を持つようにしても良い。
【００６２】
図１６は、例えばパーソナルコンピュータの表示装置１３１に表示される点滅像１３２を電子カメラ１２１のカメラ部１２３で撮影している状態を示す。点滅像１３２は、表示装置１３１の周辺部例えば右下コーナー部に表示される。点滅像１３２は、パーソナルコンピュータにインストールされているソフトウェアによって、伝送したいディジタルデータに応じて点滅される。
【００６３】
電子カメラ１２１のカメラ部１２３は、この点滅像１３２を撮影する。撮影した信号から伝送データをデコードすることができる。例えばパーソナルコンピュータ側から所望の画像ファイルが電子カメラ１２１に対して転送される。
【００６４】
図１７は、点滅像１３２の点滅パターンとして送出されるデータ・フレーム構造を示す。１つのデータ・フレームは、Ｎビットの送信データ（ペイロード）をビット”１”　のスタートビットと、ビット”０”　のストップビットで挟み込む形態とされている。例えばビット”０”　が点滅像１３２の消灯に対応し、ビット”１”　が点滅像１３２の点灯に対応している。
【００６５】
上述した電子カメラ１２１の受信部１２３と、表示装置１３１に表示される点滅像１３２とからなるディジタル通信システムについてより詳細に説明する。図１８に示すように、受信部１２３は、は、受光素子１２５１，１２５２　，１２５３，・・・，１２５Ｍからなる受光部１２４を有する。受光部１２４の受光面に対して、図示しないが、集光レンズ等の集光光学系を介して表示装置１３１が発生した点滅光が入射される。
【００６６】
受光部１２４は、例えばＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ：相補性金属酸化膜半導体）イメージセンサによって構成されている。ＣＭＯＳイメージセンサは、一般的にＣＣＤ（Ｃｈａｒｇｅ　Ｃｏｕｐｌｅｄ　Ｄｅｖｉｃｅ：電荷転送素子）イメージセンサに比して動作速度が速いので、光源を高い周波数で点滅させても、点滅パターンを読み取ることができる。
【００６７】
図１９に示すように、受光部１２４の受光面１２４ａは、受光素子が（ｎ×ｍ＝Ｍ）の２次元マトリクス状に配された構成を有する。１つの受光素子が１画素と対応する。
【００６８】
図１８に示すように、受光素子１２５１〜１２５Ｍのそれぞれに対して検出ブロック１２６１〜１２６Ｍが接続される。検出ブロック１２６１〜１２６Ｍによって、各受光素子で検出された点滅信号が検出される。検出ブロック１２６１〜１２６Ｍは、送信データのキャリア周波数成分のみを通過させるバンドパスフィルタ、ＰＬＬ、Ａ／Ｄ変換器、撮像データ保存用メモリ、２値化データメモリ、受信データ保存用メモリとを備えている。
【００６９】
検出ブロック１２６１〜１２６Ｍの出力信号がデータ収集部１２７に供給される。データ収集部１２７は、検出ブロックの出力信号を統合的に処理する。データ収集部１２７では、点滅信号の処理を行う。データ収集部１２７からは、点滅信号の処理結果としての受信データが出力される。
【００７０】
受信データがＮビット長の場合では、バンドパスフィルタの出力をＡ／Ｄ変換することで得られたＴビットのディジタルデータがしきい値処理で２値化され、２値化データメモリに一時的に保存される。２値化データは、その受光素子が光信号を受光したか否かを示している。
【００７１】
受光素子が表示装置１３１からの光信号を受光している場合では、キャリア周波数に応じた一定時間だけ待って、サンプリング周波数に応じた一定時間だけ、受光素子を露光させる。そして、その露光量に応じたアナログ信号がバンドパスフィルタを介してＡ／Ｄ変換し、Ｔビットのディジタルデータを一旦撮像データ保存用メモリに格納する。そして、Ｔビットのディジタルデータをしきい値処理で２値化し、２値化データを受信データ保存用メモリ（Ｎビット）の所定のビット位置に格納する。次に、メモリのアドレスをインクリメントして同様の動作を繰り返し、Ｎビットの受信データを保存する。
【００７２】
データ収集部１２７は、（ｎ×ｍ＝Ｍ）個の検出ブロックのそれぞれからＮビットの受信データを読み出し、必要に応じて受信データの誤りの有無を検査してから、受信データ保存用メモリに格納する。Ｎビットの受信データを保存する場合、受信データの値とその受信データを出力した受光素子のアドレスとを組にして保存する。全受光素子に関して、有効なデータを受信した受光素子に関して、受信データと受光素子の位置の情報（アドレス）とが組で保存される。したがって、データ収集部１２７から読み出された出力も、Ｎビットのデータとアドレス情報との組である。
【００７３】
受信部１２３の受光部１２４が通信専用ではなく、カメラとしてシーンを撮影する撮像部を兼ねている時には、撮影動作モード（画像モードと称する）と、表示装置１３１からの光信号を受信処理する動作モード（デコードモードと称する）とが交互になされる。
【００７４】
パーソナルコンピュータの表示装置１３１の点滅像１３２を受信部１２３が撮影することによって、パーソナルコンピュータからのデータを電子カメラ１２１が受信することができる。図２０に示すように、電子カメラ１２１がデータを受信した場合、ＬＣＤディスプレイ１２２上で受信部１２３に近い領域にデータを受信したしたことを示すアイコン１２８が表示される。
【００７５】
なお、アイコン１２８の表示方法としては、前述したような移動するアイコン、またはアニメーション表示を使用しても良い。また、接続を確立した状態と、実際にデータを伝送している状態とで、異なるアイコンを使用しても良い。
【００７６】
さらに、図２１に示すように、受信部１２３に近い位置に撮影画像１２９を表示することもできる。これは、上述した通信とは関係ないが、撮影画像１２９が他の撮影画像と違う意味を持っていることを表すためである。例えば最新の撮影画像がこの受信部１２３に近い領域に表示される。それによって画面上に他の撮影画像が表示されていても、最新の撮影画像を直ぐに認識できる。
【００７７】
この発明は、光に限らず、音響信号で通信を行う場合に対しても適用できる。図２２Ａは、携帯電子機器例えば携帯電話機１４１からパーソナルコンピュータの表示装置１５１のフレームの右側下部に設けた音響受信部１５３に対して音響信号例えばＤＴＭＦ（Ｄｕａｌ　Ｔｏｎｅ　Ｍｕｌｔｉ−Ｆｒｅｑｕｅｎｃｙ）を送信する例を示す。携帯電話機１４１からデータを送信すると、表示装置１５１の表示部１５２内で、音響受信部１５３に近接した領域上にアイコン１５４が表示される。
【００７８】
なお、アイコン１５４の表示方法としては、前述したような移動するアイコン、またはアニメーション表示を使用しても良い。また、接続を確立した状態と、実際にデータを伝送している状態とで、異なるアイコンを使用しても良い。
【００７９】
さらに、この発明は、比較的微弱な電波を使用し、近接した距離に適用される無線通信に対しても適用することができる。図２３は、無線通信の例を示し、参照符号１６１が非接触型のＩＣカードを示す。パーソナルコンピュータの表示装置１７１のフレームの右側下部に設けたアンテナ部１７３にＩＣカード１６１を近づけて通信が行われる。
【００８０】
ＩＣカード１６１内のデータがアンテナ部１７３によって読み取られ、パーソナルコンピュータに対して転送される。データの転送が終了すると、図２３Ｂに示すように、データ伝送がなされたことを表すアイコン１７４が表示部１７２のアンテナ部１７３に近接した位置の領域上に表示される。
【００８１】
なお、アイコン１７４の表示方法としては、前述したような移動するアイコン、またはアニメーション表示を使用しても良い。また、接続を確立した状態と、実際にデータを伝送している状態とで、異なるアイコンを使用しても良い。
【００８２】
この発明は、上述したこの発明の一実施形態等に限定されるものではなく、この発明の要旨を逸脱しない範囲内で様々な変形や応用が可能である。
【００８３】
【発明の効果】
この発明によれば、メモリカードを挿入したり、コネクタにケーブルを介してデバイスを接続する場合に、これらのユーザの動作と、それに対応する表示画面上のウィンドウ、アイコンとの対応関係が分かり易くなる。特に、複数のメモリカードやデバイスを同時に接続する際に、ユーザの動作とウィンドウ、アイコンの対応関係の判別が容易となる利点がある。
【００８４】
また、この発明では、比較的近距離で無線通信を行う場合に、一方のデバイスの通信部に対して他のデバイスの通信部を向けた配置とされる。この配置関係で、通信部に近接した位置に、アイコン等を表示するので、通信動作とアイコンの表示との対応関係が分かり易い利点がある。
【図面の簡単な説明】
【図１】この発明の第１の実施形態中の第１の例を示す略線図である。
【図２】この発明の第１の実施形態中の第２の例を示す略線図である。
【図３】この発明による表示装置を含むコンピュータシステムのブロック図である。
【図４】計算機による表示装置の制御の流れを示すフローチャートである。
【図５】この発明による表示方法の一例を説明するための略線図である。
【図６】この発明による表示方法の他の例を説明するための略線図である。
【図７】この発明の第１の実施形態中の第３の例を示す略線図である。
【図８】この発明の第１の実施形態中の第４、第５、第６および第７の例を示す略線図である。
【図９】この発明の第１の実施形態中の第８の例を示す略線図である。
【図１０】この発明の第１の実施形態中の第９の例を示す略線図である。
【図１１】この発明を赤外線通信に適用した第２の実施形態における送受信部と設置位置のいくつかの例を示す略線図である。
【図１２】この発明の第２の実施形態におけるアイコンの表示方法を説明するための略線図である。
【図１３】この発明の第２の実施形態におけるアイコンの表示方法を説明するための略線図である。
【図１４】この発明の第２の実施形態におけるアイコンの表示方法を説明するための略線図である。
【図１５】この発明を点滅光を使用する光通信に適用した第３の実施形態における電子カメラの一例を示す略線図である。
【図１６】この発明の第３の実施形態における通信方法を説明するための略線図である。
【図１７】この発明の第３の実施形態における通信データの構成を説明するための略線図である。
【図１８】この発明の第３の実施形態における受信部の構成を説明するためのブロック図である。
【図１９】この発明の第３の実施形態における受信部の構成を説明するための略線図である。
【図２０】この発明の第３の実施形態におけるアイコンの表示方法を説明するための略線図である。
【図２１】この発明の第３の実施形態におけるアイコンの表示方法を説明するための略線図である。
【図２２】この発明を音響信号を使用する通信に適用した第４の実施形態を示す略線図である。
【図２３】この発明を比較的微弱な電波を使用する通信に適用した第５の実施形態を示す略線図である。
【符号の説明】
１Ａ、１Ｂ、１Ｃ、１Ｄ、１Ｅ、１Ｆ・・・表示装置、４ａ〜４ｅ、２４、２７ａ、２７ｂ、２７ｃ・・・メモリカード用スロット、６ａ、６ｂ・・・コネクタ、７・・・デバイス、１３・・・メモリカード、１４ａ〜１４ｅ、１５ａ、１６ｂ、２８ａ、２８ｂ、２８ｃ・・・ウィンドウ
【図１】
2004054879.tif 000003
【図２】
2004054879.tif 000004
【図３】
2004054879.tif 000005
【図４】
2004054879.tif 000006
【図５】
2004054879.tif 000007
【図６】
2004054879.tif 000008
【図７】
2004054879.tif 000009
【図８】
2004054879.tif 000010
【図９】
2004054879.tif 000011
【図１０】
2004054879.tif 000012
【図１１】
2004054879.tif 000013
【図１２】
2004054879.tif 000014
【図１３】
2004054879.tif 000015
【図１４】
2004054879.tif 000016
【図１５】
2004054879.tif 000017
【図１６】
2004054879.tif 000018
【図１７】
2004054879.tif 000019
【図１８】
2004054879.tif 000020
【図１９】
2004054879.tif 000021
【図２０】
2004054879.tif 000022
【図２１】
2004054879.tif 000023
【図２２】
2004054879.tif 000024
【図２３】
2004054879.tif 000025